(57)【要約】【課題】迅速に結露の除去を可能な画像読取装置を提供する。【解決手段】画像読取装置は、原稿が載置される透明部材を有する原稿載置手段を備えており、この原稿載置手段の透明部材を挟んで原稿が載置される側とは反対側には、原稿載置手段の内側空間が設けられている。原稿載置手段の内側空間内には加熱手段が配置されており、画像読取装置の制御部は、待機位置とは異なる位置に光学ユニット４を移動させた状態で、加熱手段６１，６２によって原稿載置手段の内側空間Ｓ１，Ｓ２の温度を上昇させるモードを実行可能である。【選択図】図５
2020088542.tif 000002
【特許請求の範囲】
【請求項１】
原稿が載置される透明部材を有する原稿載置手段と、
前記透明部材を挟んで前記原稿が載置される側とは反対の前記原稿載置手段の内側空間内に設けられ、前記原稿に対して光を照射する照射手段と、前記原稿から反射された反射光を案内する光学手段と、を備えた光学ユニットと、
前記原稿の画像読取りに際して、前記光学ユニットを待機位置から移動させる移動手段と、
前記光学ユニットを介して案内された反射光を光電変換する読取センサと、
前記原稿載置手段の内側空間内に配置された加熱手段と、
前記待機位置とは異なる位置に前記光学ユニットを移動させた状態で、前記加熱手段によって前記原稿載置手段の内側空間の温度を上昇させるモードを実行可能な制御手段と、を備えた、
ことを特徴とする画像読取装置。
【請求項２】
前記加熱手段は、前記光学ユニットの移動方向において異なる位置に配置された第１及び第２加熱ユニットを備え、
前記制御手段は、前記モードを実行するに際し、前記光学ユニットの移動方向において、前記第１加熱ユニットと前記第２加熱ユニットとの間の位置に前記光学ユニットを移動させる、
ことを特徴とする請求項１記載の画像読取装置。
【請求項３】
前記制御手段は、前記モードを実行するに際し、前記原稿載置手段の内側空間の内、前記光学ユニットを挟んで前記第１加熱ユニット側の空間の体積と、前記第２加熱ユニット側の空間の体積とが同等となる位置に前記光学ユニットを移動させる、
ことを特徴とする請求項２記載の画像読取装置。
【請求項４】
前記制御手段は、前記モードを実行するに際し、前記光学ユニットの移動方向における、前記第１加熱ユニットと前記第２加熱ユニットとの間の中央位置に前記光学ユニットを移動させる、
ことを特徴とする請求項２記載の画像読取装置。
【請求項５】
前記制御手段は、前記モードを実行するに際し、前記光学ユニットの移動方向において、前記光学ユニットを前記加熱手段と重なる位置に移動させる、
ことを特徴とする請求項１記載の画像読取装置。
【請求項６】
前記加熱手段は、前記光学ユニットの移動方向において異なる位置に配置された第１及び第２加熱ユニットを備え、
前記制御手段は、前記モードを実行するに際し、前記光学ユニットの移動方向において、前記光学ユニットを前記第１加熱ユニットと重なる位置に移動させる、
ことを特徴とする請求項５記載の画像読取装置。
【請求項７】
前記加熱手段は、単一の加熱ユニットによって構成され、
前記制御手段は、前記モードを実行するに際し、前記加熱ユニットの発熱領域が前記光学ユニットによって均等に分割される位置に前記光学ユニットを移動させる、
ことを特徴とする請求項５記載の画像読取装置。
【請求項８】
前記制御手段は、前記モードにおいて、前記光学ユニットを挟んで仕切られた前記内側空間の第１及び第２空間の内、前記第１空間に対する前記加熱手段から供給される熱量と前記第１空間の体積との比が、前記第２空間に対する前記加熱手段から供給される熱量と前記第２空間の体積との比が均等となるように前記移動手段及び加熱手段を制御する、
ことを特徴とする請求項１記載の画像読取装置。
【請求項９】
前記モードは、第１モードであり、
前記制御手段は、前記第１モードと、前記光学ユニットの移動方向において、前記光学ユニットと前記加熱手段とが重なる位置に前記光学ユニットを移動させた状態で、前記加熱手段によって前記原稿載置手段の内側空間の温度を上昇させる第２モードと、を実行可能に構成された、
ことを特徴とする請求項２又は３記載の画像読取装置。
【請求項１０】
前記制御手段は、前記第１モードと、前記第２モードと、前記待機位置に前記光学ユニットを位置させた状態で、前記加熱手段によって前記原稿載置手段の内側空間の温度を上昇させる第３モードと、を実行可能に構成された、
ことを特徴とする請求項９記載の画像読取装置。
【請求項１１】
請求項１乃至１０のいずれか１項記載の画像読取装置と、
前記画像読取装置によって読み取られた画像情報に基づいて、原稿に画像を形成する画像形成部と、を備えた、
ことを特徴とする画像形成装置。
【発明の詳細な説明】
【技術分野】
【０００１】
本発明は原稿の画像を読取る画像読取装置及びこれを備えた画像形成装置に関する。
【背景技術】
【０００２】
例えば、複写機などの画像形成装置において、その上部に原稿の画像を読取る画像読取装置が設けられているものが知られている。この画像読取装置は、一般に、原稿を載置する原稿台ガラスや、自動原稿搬送装置によって搬送された原稿を摺擦させる流し読みガラスを備えている。また、その内部にミラーやレンズといった光学部品を備え、原稿台ガラス上の原稿の画像を読取るために原稿の画像を走査する光学ユニットを備えている。
【０００３】
このような画像読取装置は、一般にオフィスなどに設置されるが、例えば、冬季の夜間の間に気温が下がった後、朝一番に暖房装置が使用され、温湿度などの環境が急に変化すると、上記原稿台ガラスや光学ユニットのミラーなどに結露が発生することがある。
【０００４】
従来、このような結露の発生を防止するため、結露防止用のヒータを画像読取装置内部に設け、画像読取装置内の温度を上昇させることによって上記結露の発生を抑制する画像読取装置が案出されている（特許文献１参照）。また、上記特許文献１記載の画像読取装置は、画像読取装置内に温度センサ及び湿度センサを設け、結露発生条件に達していると判断した場合に上記結露防止用のヒータをＯＮ状態とすることによって消費電力の低減を図っている。
【先行技術文献】
【特許文献】
【０００５】
【特許文献１】特開２００３‐１８３４０号公報
【発明の概要】
【発明が解決しようとする課題】
【０００６】
上述した特許文献１に記載されているように結露防止用のヒータを設けると、画像読取装置における結露の発生を予防することができる。しかしながら、画像読取装置の周辺環境の状況によっては、上述したような結露防止用ヒータを備えた画像形成装置であったとしても、結露が発生してしまう虞がある。
【０００７】
ここで、上記結露が発生すると、原稿からの反射光が画像読取装置内のイメージセンサに正常に届かず、読取画像が暗くなったり、ピントが合わずにボケてしまったりするような、画像の読取り異常が発生するため、早期に結露を除去することが望まれる。しかしながら、上記特許文献１記載の画像読取装置では、実際の結露の発生時であっても、結露の予防時と同様の制御が実行されるため、結露の発生箇所によっては、その解消までに時間が掛かってしまう虞があった。
【０００８】
そこで、本発明は、迅速に結露の除去を可能な画像読取装置及びこれを備えた画像形成装置を提供することを目的とする。
【課題を解決するための手段】
【０００９】
本発明に係る画像読取装置は、原稿が載置される透明部材を有する原稿載置手段と、前記透明部材を挟んで前記原稿が載置される側とは反対の前記原稿載置手段の内側空間内に設けられ、前記原稿に対して光を照射する照射手段と、前記原稿から反射された反射光を案内する光学手段と、を備えた光学ユニットと、前記原稿の画像読取りに際して、前記光学ユニットを待機位置から移動させる移動手段と、前記光学ユニットを介して案内された反射光を光電変換する読取センサと、前記原稿載置手段の内側空間内に配置された加熱手段と、前記待機位置とは異なる位置に前記光学ユニットを移動させた状態で、前記加熱手段によって前記原稿載置手段の内側空間の温度を上昇させるモードを実行可能な制御手段と、を備えた、ことを特徴とする。
【発明の効果】
【００１０】
本発明によれば、待機位置とは異なる位置に光学ユニットを移動させて加熱手段によって原稿載置手段の内側空間の温度を上昇させるモードを有している。このため、結露の発生箇所に合わせて、上記待機位置とは光学ユニットと加熱手段との相対位置関係を異ならせた状態にて、加熱手段を作動させることができ、迅速に発生した結露を除去することができる。
【図面の簡単な説明】
【００１１】
【図１】第１の実施の形態に係る画像形成装置の断面概略図である。
【図２】（ａ）は、第１の実施の形態に係る画像読取装置の外観斜視図であり、（ｂ）は、画像読取装置の上面俯瞰図である。
【図３】画像読取手段の構成概要を示す断面図である。
【図４】画像読取装置制御部の構成を示すブロック図である。
【図５】（ａ）は、ガラス速燥モード時の画像読取手段を示す外観斜視図であり、（ｂ）はガラス速燥モード時の画像読取手段を示す上面俯瞰図である。
【図６】（ａ）は、光学ユニット速燥モード時の画像読取手段を示す外観斜視図であり、（ｂ）は、光学ユニット速燥モード時の画像読取手段を示す上面俯瞰図である。
【図７】（ａ）は、急速結露除去モード時の画像読取手段を示す外観斜視図であり、（ｂ）は、急速結露除去モード時の画像読取手段を示す上面俯瞰図である。
【発明を実施するための形態】
【００１２】
以下、添付図面を参照して本実施の形態に係る画像読取装置を備えた画像形成装置について説明をする。なお、本実施の形態においては、複写機を例にとって上記画像形成装置の構成を説明する。しかしながら、画像読取装置は、単体で用いられてもよいことは勿論のこと、複写機の他にもプリンタ、ファクシミリ、及びこれらの機能を備えた複合機などの画像形成装置に設けられても良い。また、本実施の形態において、原稿とは、普通紙の他にも、コート紙等の特殊紙、封筒やインデックス紙等の特殊形状からなる記録材、及びオーバーヘッドプロジェクタ用のプラスチックフィルムや布などを含むものである。加えて、原稿は、白紙でも、片面又は両面に画像が形成されていても良いものとする。更に、以下の説明においては、ユーザーと対向する画像形成装置の面を前面、この前面とは反対側の面を背面といい、これら画像形成装置の前後に向かう方向を前奥方向という。また、この前奥方向と直交する方向を幅方向という。
【００１３】
＜第１の実施の形態＞
［画像形成装置の概略構成］
図１は第１の実施の形態に係る画像形成装置としての複写機２０１の断面概略図である。複写機２０１は、画像形成装置本体としてのプリンタ部１０３の上方に原稿の画像を読取る画像読取装置１０１が設けられて構成されており、画像読取装置１０１の上部には、自動原稿搬送装置１０２が設けられている。
【００１４】
プリンタ部１０３は、その内部に、シートを搬送するシート搬送部１０７と、シート搬送部１０７から搬送されたシートに対して画像の形成を行う電子写真方式の画像形成部１０４と、を備えている。また、画像形成部１０４にて転写された未定着トナー像を加熱及び加圧してシートに対して定着させる定着部１０５と、プリンタ部１０３を制御するプリンタ制御部１０６と、を備えている。
【００１５】
画像読取装置１０１は、原稿を載置するための原稿載置手段としての原稿載置台１０８と、この原稿載置台１０８の内側に設けられ、原稿載置台１０８に載置された原稿の画像を読取る画像読取手段４と、を備えている。また、画像読取装置１０１を制御する制御手段としての画像読取装置制御部１８を備えている。
【００１６】
上記複写機２０１を使用して原稿のコピーを取る場合、まず、原稿載置台１０８上に原稿が載置され、ユーザーによってコピーボタン（不図示）が押圧される。そして、このコピーボタンが操作されると、上述した画像読取手段４が副走査方向Ｍ（本実施の形態では幅方向）に移動しながら、原稿の画像を読取る。画像読取手段４によって読み取られた画像情報は、画像読取装置制御部１８を介してプリンタ制御部１０６へと通信され、この画像情報に基づいて画像形成部１０４においてトナー像が形成される。そして、このトナー像がシート搬送部１０７から搬送されて来たシートに対して転写され、シートに転写された未定着トナー像が定着部１０５において加熱及び加圧されることによって、シートに対して定着される。定着部１０５によって画像が定着されたシートは機外へと排出され、これにより原稿のコピーが完了する。
【００１７】
また、複数枚の原稿のコピーが取られる場合には、自動原稿搬送装置１０２によって原稿が一枚ずつ搬送され、この搬送されている原稿の画像が所定の読取位置に位置している画像読取手段４によって読み取られる。なお、原稿載置台１０８に載置された原稿の画像を画像読取手段４が副走査方向に移動しながら読取る方式を固定読みというのに対して、停止した画像読取手段４が自動原稿搬送装置１０２によって搬送されている原稿の画像を読取る方式を流し読みという。
【００１８】
［画像読取装置の構成］
ついで、画像読取装置１０１の構成について、図２及び図３に基づいて詳しく説明をする。図２（ａ）および図２（ｂ）は上述した画像読取装置１０１の外観斜視図および上面俯瞰図である。画像読取装置１０１は、上述した原稿載置台１０８、画像読取手段４、画像読取装置制御部１８の他に、画像読取手段を移動させる移動手段３０、原稿載置台１０８の内側空間Ｓの温度を上昇させる加熱手段６などを備えて構成されている。
【００１９】
原稿載置台１０８は、画像読取装置本体部を構成するフレーム３と、このフレーム３に支持された原稿台ガラス１及び流し読みガラス２を備えている。原稿台ガラス１は、原稿を載置する載置面を備えており、当該載置面に載置された原稿の画像が固定読みによって読み取られる。また、流し読みガラス２は、画像読取手段４の移動方向Ｗ（副走査方向、幅方向）において原稿台ガラス１の一方側（図中左側）に設けられており、自動原稿搬送装置１０２により搬送された原稿は上記流し読みガラス２上を通過する際にその画像が読み取られる。加えて、透明部材としての原稿台ガラス１を挟んで原稿が載置される側とは反対側には、上述したフレーム３、原稿台ガラス１及び流し読みガラス２によって囲われた内側空間Ｓが形成されている。
【００２０】
移動手段３０は、上記原稿載置台１０８の内側空間内に画像読取手段４と共に配置されている。また、正逆回転可能な駆動モータ１２と、画像読取手段４を軸支して移動方向に案内するガイドシャフト５と、ギヤプーリ１４と、プーリ１５，１６と、駆動ベルト１３と、を備えている。図２（ｂ）に示すように、ギヤプーリ１４は、ガイドシャフト５の一端側（図中右側）に配置され、駆動モータ１２からの動力が伝達されるように構成されている。また、プーリ１５，１６は、それぞれガイドシャフト５の端部近傍に配置されており、これらプーリ１５，１６の間には、駆動ベルト１３が巻回されている。更に、ギヤプーリ１４と同じ側に位置しているプーリ１５には、ギヤプーリ１４との間においてもベルトが巻回されており、駆動モータ１２が駆動されると、ギヤプーリ１４を介してプーリ１５が回転する。プーリ１５が回転すると、駆動ベルト１３が駆動し、この駆動ベルト１３が駆動することによって画像読取手段４が移動するようになっている。
【００２１】
また、上記内側空間内には、画像読取手段４が非画像読取り時に位置する待機位置に位置しているか否かを検知する検知手段１７（図５（ａ）参照）が配置されている。本実施の形態においては、図２（ｂ）中の左端位置が待機位置となっており、この待機位置に位置している状態で、画像読取手段４は、原稿台ガラス１上に載置された原稿の位置合わせ側の端部（左端）の画像を読取るようになっている。別の言い方をすれば、原稿の画像を読取る読取ジョブが入力される前の待機状態において、上記画像読取手段４は、位置検知手段１７の近傍の所定位置に設定された待機位置に待機するようになっている。なお、この待機位置は、必ずしも一つである必要は無く、例えば上記待機位置を第１待機位置とした場合に、この第１待機位置よりもより流し読みガラス２側に位置した第２待機位置を備えていても良い。
【００２２】
加熱手段６は、移動方向において異なる位置となるように、フレーム後方の内側底面に配置された２つのヒータ６１，６２を備えている。これらヒータ６１，６２に対して電源が供給されてＯＮ状態となると、ヒータ６１，６２が各々発熱し周囲の空気を暖めることで画像読取手段４が移動する原稿台ガラス１の内側空間Ｓが暖められるようになっている。
【００２３】
画像読取手段４は、図３に示すように、内部部品を保持する筐体１１と、画像読取りのための光を原稿Ｄに対して照射する照射手段９と、を備えている。また、原稿Ｄから反射された反射光を案内する光学手段４０と、案内された反射光を光電変換する読取センサとしてのイメージセンサ１０と、を備えている。本実施の形態においては、上記光学手段４０は、原稿からの反射光をレンズ８へと導くためのミラー７と、導かれた光をイメージセンサ１０へと結像するためのレンズ８と、を備えている。また、イメージセンサ１０は、帯状のＦＦＣ（フレキシブルフラットケーブル）１９（図２（ｂ）参照）によって画像読取装置制御部１８と電気的に接続されており、イメージセンサ１０によって読み取った画像情報は、画像読取装置制御部１８へと通信される。
【００２４】
なお、本実施の形態では、ＣＭＯＳセンサによって上記イメージセンサ１０を構成したため、上記筐体１１に照射手段９及び光学手段４０を設けた光学ユニットに対して直接、イメージセンサを取り付けている。しかしながら、イメージセンサは、必ずしも光学ユニットに取り付けられて移動するような構成とせずとも良く、例えば、ＣＣＤによってイメージセンサを構成し、このイメージセンサをフレーム３に固定するように構成しても良い。また、この場合、レンズ８などの光学手段４０についても、フレーム３に固定して配置されるように構成されても良い。
【００２５】
上述したように構成されているため、例えば、原稿Ｄが原稿台ガラス１上にセットされ、コピーボタンが押下されると、駆動モータ１２が動作し、駆動モータ１２によって駆動ベルト１３が循環する。すると、画像読取手段４は、上記駆動ベルト１３に連動して原稿台ガラス１の下側を図２（ｂ）中右側に移動する。
【００２６】
そして、例えばＡ４サイズなど原稿の大きさに応じた所定の位置まで画像読取手段４が右側に移動した後、駆動モータ１２の回転を正逆反転する。そして、今度は画像読取手段４に備えられた位置検知フラグ２０（図５（ｂ）参照）が位置検知手段１７に検知されるまで、画像読取手段４が左側に移動する。その後、画像読取手段４は、所定の待機位置まで戻り、読取動作が終了となる。なお、上記読取動作中、画像読取手段４の移動と並行して、画像読取手段４に備えられる照射手段９が光を原稿へ向けて照射し、原稿から返る反射光がミラー７によってレンズ８へ導かれることによってイメージセンサ１０に像が結像される。
【００２７】
［画像読取装置制御部の構成］
ついで、画像読取装置制御部１８の構成について図４に基づいて説明をする。図４に示すように、プリンタ制御部１０６及び画像読取装置制御部１８は、それぞれ、演算手段としてＣＰＵ１０６１，１８１を、記憶手段としてＲＯＭ１８２，１０６２、ＲＡＭ１８３，１０６３を備えて構成されている。これらプリンタ制御部１０６及び画像読取装置制御部１８は、互いに通信可能に構成されており、プリンタ制御部１０６には、ユーザーからの操作を受け付ける操作部５０が接続されている。また、複写機２０１のプリンタ部１０３側には、電源５１が設けられており、このプリンタ部１０３側の電源５１からプリンタ制御部１０６及び画像読取装置制御部１８は給電されるようになっている。
【００２８】
更に、画像読取装置制御部１８には、上述した駆動モータ１２、イメージセンサ１０、ヒータ６１，６２以外にも、原稿載置台１０８の内側空間Ｓの温度及び湿度を計測するための温度センサ５２及び湿度センサ５３が接続されている。また、画像読取装置制御部１８のＲＯＭ１８２には、ＣＰＵ１８１が読み出し可能な画像読取装置１０１を制御するための各種プログラムが格納されており、ヒータ６１，６２は、このＲＯＭ１８２に格納された結露防止プログラムに基づいて制御される。
【００２９】
［結露防止プログラム］
ついで、上述した結露防止プログラムについて説明をする。例えば寒い地域のオフィスにおいて、ユーザーが帰宅時にコピー機をシャットダウンもしくはスリープ状態へ移行させてオフィスの暖房設備の電源もＯＦＦした状態で帰宅した後、次の日の朝にコピー機の電源をＯＮにし暖房設備を稼働した場合を考える。帰宅後の夜間にオフィスおよびコピー機は低温の環境にさらされ、朝の暖房設備の稼働によりオフィスは暖められるがコピー機はしばらく冷えた状態が続く。コピー機の周囲環境の変化の仕方によっては夜間に冷えた状態となった画像読取装置１０１と特に原稿台ガラス１および流し読みガラス２に暖房設備による暖かい空気が当たるとガラス上面に結露が発生する虞がある。また、暖房設備による影響が少なかったとしても、低温環境状態でユーザーがコピー機を使用した場合にプリンタ部１０３の特に定着部１０５からの蒸気を伴った暖かい空気が画像読取装置１０１の下部から内部に侵入する。そして、画像読取手段４の内部に備えられたミラー７やレンズ８などに結露を発生させる虞がある。本実施の形態に係る結露防止プログラムでは、このような結露の発生の予防、もしくは発生した結露の早急な除去を目的として、通常結露除去モード、ガラス速燥モード、光学ユニット速燥モードの３つの実行可能なモードを備えている。以下の説明では、通常結露除去モード（第３モード）、ガラス速燥モード（第１モード）、光学ユニット速燥モード（第２モード）の順で各モードの詳細について説明をする。
【００３０】
［通常結露除去モード］
通常結露除去モードは、通常時、上述した原稿台ガラス１や、流し読みガラス２や、画像読取手段４（光学ユニット）の光学手段４０に結露が発生しないようにヒータ６１，６２を作動させるモードである。具体的には、ＲＯＭ１８２には、原稿載置台１０８の内側空間Ｓの温度と湿度との関係に基づいて、結露が発生しやすい条件と、結露の発生しにくい条件とを分ける境界条件が規定された結露発生条件マップが格納されている。上記通常結露除去モードが実行されると、画像読取装置制御部１８は、温度センサ５２及び湿度センサ５３の検出結果と、結露発生条件マップと、を参照する。そして、温度センサ５２及び湿度センサ５３の検出結果から内側空間Ｓ内の環境が、上述した境界条件を超えているか否かを判断し、内側空間Ｓ内の環境が、境界条件を超えたことを条件として、ヒータ６１，６２を作動させるようになっている。
【００３１】
また、上記通常結露除去モードにおいては、画像読取装置制御部１８は、画像読取手段４に対して、結露防止プログラムに基づく特別な移動制御は実行せず、このため、通常、画像読取手段４は、上述した待機位置に位置している。
【００３２】
このように、内側空間内の環境が所定の境界条件を超えた場合、ヒータ６１，６２を作動させ、内側空間Ｓの温度を上昇させるため、画像読取装置１０１が設置される環境が低温から高温に変わったとしても、上述した結露の発生を予防することができる。従って、通常結露除去モードが実行されることによって、結露により、画像読取手段４からの照明光が所定量原稿に届かなかったり、原稿からの反射光が画像読取装置内のイメージセンサ１０に正常に届かず読取画像が暗くなったりすることを予防できる。また、ピントが合わずにボケるといったような画像読取り上の不具合の発生も予防することができる。
【００３３】
［ガラス速燥モード］
ついで、ガラス速燥モードについて説明をする。上述した通常結露除去モードを備えていても、画像読取装置１０１の設置環境によっては、上述した原稿台ガラス１、流し読みガラス２及び光学手段４０に結露が発生する可能性はある。ガラス速燥モードは、原稿台ガラス１もしくは流し読みガラス２に対する結露の発生をユーザーが気づいた際に、任意にヒータ６１，６２の電源をＯＮにするモードである。
【００３４】
具体的には、操作部５０を介して、ユーザーによってガラス速燥モードの実行を指示されると、画像読取装置制御部１８は、ヒータ６１，６２の電源をＯＮにする。また、同時に駆動モータ１２を制御して、図５（ａ），（ｂ）に示すように、画像読取手段４を、第１加熱ユニットとしての第１ヒータ６１と、第２加熱ユニットとしての第２ヒータ６２との間の位置に移動させる。
【００３５】
より詳しくは、画像読取装置制御部１８は、画像読取手段４を挟んで、内側空間Ｓが、同等の体積を有する第１ヒータ６１側の第１空間Ｓ１と第２ヒータ６２側の第２空間Ｓ２とに仕切られる位置に画像読取手段４を移動させる。この場合、本実施の形態では、画像読取手段４は第１ヒータ６１と第２ヒータ６２との間の略中央位置に移動させられる。なお、同等の体積とは、第１加熱ユニット側の空間である第１空間Ｓ１と第２加熱ユニット側の空間である第２空間Ｓ２の体積が完全に一致しているのみならず、第１空間Ｓ１と第２空間Ｓ２の体積が±２５％の範囲の差を有することを許容している。
【００３６】
通常結露除去モードのように画像読取手段４を待機位置に位置させてヒータ６１，６２をＯＮした場合、原稿台ガラス１、流し読みガラス２及び光学手段４０を全体的に均一に暖められるが、画像読取手段４がヒータによる暖気を遮ってしまう。このため、原稿台ガラス１及び流し読みガラス２の暖まり方にムラが生じ易い。特に画像読取手段４が暖気を遮りかつヒータ６１からも距離のある原稿台ガラス１及び流し読みガラス２の図２（ｂ）における左前側の部分は暖まり辛く、当該部分に結露が生じた場合、結露の除去に時間を要してしまう。
【００３７】
一方で、上述したガラス速燥モードでは、画像読取手段４が２個のヒータ６１，６２の間で待機していることで内側空間Ｓの左側への暖かい空気の流入を妨げることがない。このため、画像読取装置１０１の内部全体を急速に暖めることができ、原稿台ガラス１及び流し読みガラス２に生じた結露を素早く除去することができる。
【００３８】
［光学ユニット速燥モード］
ついで、光学ユニット速燥モードについて説明をする。この光学ユニット速燥モードもガラス速燥モードと同様に、ユーザーが任意に実行させる急速結露除去モードの一種であり、画像読取手段４（光学ユニット）の光学手段４０に生じた結露を急速に除去するモードである。
【００３９】
具体的には、操作部５０を介して、ユーザーによってガラス速燥モードの実行を指示されると、画像読取装置制御部１８は、ヒータ６１，６２の電源をＯＮにする。また、同時に駆動モータ１２を制御して、画像読取手段４を、図６（ａ），（ｂ）に示すように、第１ヒータ６１の上方まで移動させる。即ち、画像読取装置制御部１８は、画像読取手段４の移動方向において、第１ヒータ６１と画像読取手段４とが重なる位置に画像読取手段４を移動させる。
【００４０】
なお、本実施の形態では、画像読取手段４を第１ヒータ６１と重なる位置に移動させているが、これに限らず、画像読取手段４を第２ヒータ６２と重なる位置に移動させても良い。即ち、画像読取手段４を加熱手段６と重なる位置に移動させれば良い。
【００４１】
このように、光学ユニット速燥モードでは、加熱手段６に対する画像読取手段４の相対的な位置関係が、上述した通常結露除去モードやガラス速燥モードに比較して近くなるように移動させた状態で加熱手段６を作動させている。画像読取手段４と加熱手段６との相対的な位置関係が近ければ近い程、上述したミラー７やレンズ８などの画像読取手段４（光学ユニット）の光学手段４０に生じた結露を迅速に除去することができる。このため、当該光学ユニット速燥モードでは、光学手段４０に生じた結露を優先的に除去することができる。
【００４２】
上述したように、本実施の形態では、ガラス速燥モードや光学ユニット速燥モードのように、待機位置とは異なる位置に光学ユニットを移動させた状態で、加熱手段６によって原稿載置手段の内側空間Ｓの温度を上昇させるモードを備えている。このため、画像読取手段４と加熱手段６との相対位置を結露の発生箇所に応じた位置に変化させて加熱手段６を作動させることができ、発生してしまった結露を迅速に除去することができる。
【００４３】
＜第２の実施の形態＞
ついで、第２の実施の形態について、以下説明をする。なお、第２の実施の形態では、第１の実施の形態に対して、加熱手段としてのヒータ６３がフレーム３の中央付近に１個備えられている点において異なっている。このため、以下の説明では、第１の実施の形態と異なる点のみ説明をし、他の点については、その説明を省略する。
【００４４】
図７（ａ），（ｂ）に示すように、第２の実施の形態においては、フレーム３の中央付近に単一のヒータ６３が設けられており、このヒータは、その発熱領域が、矩形状に形成されていると共に、内側空間Ｓの中央部にて線対称となるように構成されている。
【００４５】
また、上述した第１の実施の形態では、結露除去プログラムは３つのモードを備えていたが、本実施の形態では、ガラス速燥モード及び光学ユニット速燥モードが急速結露除去モードとして１つのモードにまとめられて構成されている。即ち、本実施の形態においては、結露除去プログラムは、通常結露除去モードと、急速結露除去モードと、の２つのモードを備えて構成されている。
【００４６】
具体的には、操作部５０を介して、ユーザーによって急速結露除去モードの実行を指示されると、画像読取装置制御部１８は、ヒータ６３の電源をＯＮにする。また、同時に駆動モータ１２を制御して、画像読取手段４を、ヒータ６３の発熱領域面積を均等に分割（略等分に分割）するような位置、本実施の形態ではヒータ６３のほぼ中央に移動させる。なお、発熱領域面積を均等に分割するような位置とは、ヒータ６３の発熱領域が完全に等しく分割されている必要はなく、画像読取手段４によって分割された左右の発熱領域の面積の差が±２５％の範囲内に収まっていれば良い。
【００４７】
このように、急速結露除去モードにおいては、画像読取手段４が、ヒータ６３の発熱領域面積を均等に分割するような位置に移動されるため、画像読取手段４によってヒータ６３からの暖気の流れが阻害されない。このため、画像読取装置１０１の内部全体を早急に暖めることができ、原稿台ガラス１及び流し読みガラス２に生じた結露を急速に除去することができる。また、画像読取手段４が移動方向においてヒータ６３と重なる位置にあるため、画像読取手段４（光学ユニット）の光学手段４０に生じた結露についても早急に除去することができる。
【００４８】
なお、上述した実施の形態では、左右のヒータ６１，６２の発熱量を略等しく成るように作動させていたが、例えば、光学ユニット速燥モードにおいて、画像読取手段４と重なる側のヒータの発熱量を多くしても良い。また、ガラス速燥モードにおいても、温度を上昇させる空間の体積が大きい方のヒータの発熱量が大きくなるように構成しても良い。例えば、光学ユニット（画像読取手段４）を挟んで分割される内側空間Ｓの内、第１空間に対する前記加熱手段から供給される熱量と第１空間の体積との比が、第２空間に対する加熱手段から供給される熱量と第２空間の体積との比が均等となるようにしても良い。なお、ここでいう均等とは、第１空間に対する前記加熱手段から供給される熱量と第１空間の体積との比と、第２空間に対する加熱手段から供給される熱量と第２空間の体積との比との間に±２５％の範囲の差を許容するものである。
【００４９】
また、上述した実施の形態では、通常結露除去モードを有していたが、必ずしもこの通常結露除去モードは必要ではない。即ち、結露防止プログラムは、ガラス速燥モード、光学ユニット速燥モード、急速結露除去モードなどのユーザーの操作によって実行されるモードのみを備えるように構成されても良い。この場合、温度センサや湿度センサなどのセンサ類を備える必要がなく、また、結露防止のために夜間に常にヒータをＯＮするような必要もないため、製品コストや画像形成装置のランニングコストを低減することができる。加えて、加熱手段としてのヒータは、ハロゲンヒータや、誘導加熱方式のヒータなど、どのような方式のヒータを採用しても良い。
【００５０】
更に、上述した複写機では、画像読取装置１０１の上部に自動原稿搬送装置１０２が設けられる構成としたが、これに限らず、例えば、画像読取装置１０１の上面を覆うことができるカバー部材を設けても良い。更に、画像読取装置制御部１８は、画像読取手段４によって読み取られた画像情報をプリンタ制御部１０６へと送信したが、例えば、パソコン、ファクシミリ等の外部機器に送信することもできる。
【００５１】
また、上述した実施の形態では、電子写真方式の複写機を例にとって説明をしたが、本発明はこれに限定されない。例えば、ノズルからインク液を吐出させることでシートに画像を形成するインクジェット方式の画像形成装置にも本発明を適用することが可能である。加えて、上述した実施の形態に記載された発明は、どのように組み合わされても良い。
【符号の説明】
【００５２】
１：透明部材（原稿台ガラス）、４：光学ユニット（画像読取手段）、６：加熱手段、９：照射手段、１０：読取センサ（イメージセンサ）、１８：制御手段（画像読取装置制御部）、３０：移動手段、４０：光学手段、６１：第１加熱ユニット（第１ヒータ）、６２：第２加熱ユニット（第２ヒータ）、１０１：画像読取装置、１０４：画像形成部、１０８：原稿載置手段（原稿載置台）、２０１：画像形成装置（複写機）、Ｓ：内側空間
【図１】
2020088542.tif 000003
【図２】
2020088542.tif 000004
【図３】
2020088542.tif 000005
【図４】
2020088542.tif 000006
【図５】
2020088542.tif 000007
【図６】
2020088542.tif 000008
【図７】
2020088542.tif 000009